(57)【要約】      （修正有）【課題】金封を袱紗本体に見栄え良く容易に収納することができる袱紗を提供する。【解決手段】第１〜第４角部６，８，１０，１２を有する矩形状の袱紗本体４を備え、袱紗本体４の第１角部６は内側に折り畳まれ、この折り畳まれた第１角部６の両側部には袱紗本体４と縫い合わされた一対の縫合部１４ａ，１４ｂが設けられ、袱紗本体４、第１角部６及び一対の縫合部１４ａ，１４ｂによって金封１６が収納される収納部１８が規定される。また、袱紗本体４の第２角部８及び第３角部１０には、相互に重ね合わされた第２角部８及び第３角部１０を相互に着脱自在に結合するための結合手段が設けられている。【選択図】図２
0003131089.tif 000002
【実用新案登録請求の範囲】
【請求項１】
第１〜第４角部を有する矩形状の袱紗本体を備え、前記袱紗本体の前記第１角部は内側に折り畳まれ、この折り畳まれた前記第１角部の両側部には前記袱紗本体と縫い合わされた一対の縫合部が設けられ、前記袱紗本体、前記第１角部及び前記一対の縫合部によって金封が収納される収納部が規定されることを特徴とする袱紗。
【請求項２】
前記袱紗本体の前記第１角部に隣接する前記第２角部は、内側に折り畳まれて前記第１角部に重ね合わされ、また前記第２角部と対向される前記第３角部は、内側に折り畳まれて前記第２角部に重ね合わされ、前記袱紗本体の前記第２角部及び前記第３角部には、相互に重ね合わされた前記第２角部及び前記第３角部を相互に着脱自在に結合するための結合手段が設けられていることを特徴とする請求項１に記載の袱紗。
【請求項３】
前記結合手段は、前記袱紗本体の前記第２角部の外面に設けられた第１の面ファスナと、前記袱紗本体の前記第３角部の内面に設けられた第２の面ファスナと、から構成され、前記第１の面ファスナと前記第２の面ファスナとが相互に着脱自在に係止されることを特徴とする請求項２に記載の袱紗。
【考案の詳細な説明】
【技術分野】
【０００１】
本考案は、金封を収納するための袱紗に関する。
【背景技術】
【０００２】
従来より、結婚式等の慶事においては、慶事用の金封に祝い金等を入れて持参し、また通夜や告別式等の弔事においては、弔事用の金封に香典等を入れて持参している。一般に、このような金封は、礼服のポケットやハンドバッグ等から直接取り出して手渡すのは失礼に当たるとされており、袱紗に包んで持参することがマナーとされている。
【０００３】
この袱紗は、第１〜第４角部を有する矩形状の袱紗本体を備えている（例えば、特許文献１参照）。金封を袱紗本体に収納する方法について説明すると、次の通りである。まず、平面状に拡げた袱紗本体の中央部の所定位置に金封を載置し、袱紗本体の第１角部を内側に折り畳んで金封の上に重ね合わせ、次に、第１角部に隣接する第２角部を内側に折り畳んで第１角部の上に重ね合わせ、次いで、第２角部に対向する第３角部を内側に折り畳んで第２角部の上に重ね合わせ、その後に、第１角部に対向する第４角部を内側に折り畳んで第３角部の上に重ね合わせ、このようにして金封が袱紗本体に包み込まれて収納される。
【０００４】
【特許文献１】実開平２−１１９８８２号公報
【考案の開示】
【考案が解決しようとする課題】
【０００５】
上述のような従来の袱紗では、金封を袱紗本体に見栄え良く収納するためには、金封を袱紗本体の中央部の所定位置に正確に載置する必要がある。しかしながら、上述のように第２角部及び第３角部をそれぞれ内側に折り畳んだ際に、袱紗本体に対する金封の相対的位置がずれてしまうおそれがあり、金封を袱紗本体に見栄え良く収納するのは容易でないという問題がある。
【０００６】
本考案の目的は、金封を袱紗本体に見栄え良く容易に収納することができる袱紗を提供することである。
【課題を解決するための手段】
【０００７】
本考案の請求項１に記載の袱紗では、第１〜第４角部を有する矩形状の袱紗本体を備え、前記袱紗本体の前記第１角部は内側に折り畳まれ、この折り畳まれた前記第１角部の両側部には前記袱紗本体と縫い合わされた一対の縫合部が設けられ、前記袱紗本体、前記第１角部及び前記一対の縫合部によって金封が収納される収納部が規定されることを特徴とする。
【０００８】
また、本考案の請求項２に記載の袱紗では、前記袱紗本体の前記第１角部に隣接する前記第２角部は、内側に折り畳まれて前記第１角部に重ね合わされ、また前記第２角部と対向される前記第３角部は、内側に折り畳まれて前記第２角部に重ね合わされ、前記袱紗本体の前記第２角部及び前記第３角部には、相互に重ね合わされた前記第２角部及び前記第３角部を相互に着脱自在に結合するための結合手段が設けられていることを特徴とする。
【０００９】
さらに、本考案の請求項３に記載の袱紗では、前記結合手段は、前記袱紗本体の前記第２角部の外面に設けられた第１の面ファスナと、前記袱紗本体の前記第３角部の内面に設けられた第２の面ファスナと、から構成され、前記第１の面ファスナと前記第２の面ファスナとが相互に着脱自在に係止されることを特徴とする。
【考案の効果】
【００１０】
本考案の請求項１に記載の袱紗によれば、内側に折り畳まれた第１角部の両側部には袱紗本体と縫い合わされた一対の縫合部が設けられ、袱紗本体、第１角部及び一対の縫合部によって金封が収納される収納部が規定されるので、金封を収納部に収納すると、一対の縫合部がそれぞれ金封の両側に配設され、これにより袱紗本体に対する金封の両側方向への相対的移動が拘束され、金封が収納部における所定位置に位置決め保持される。従って、第２角部及び第３角部をそれぞれ内側に折り畳んだ際に、袱紗本体に対する金封の相対的位置がずれるのが防止され、金封を袱紗本体に見栄え良く容易に収納することができる。
【００１１】
また、本考案の請求項２に記載の袱紗によれば、袱紗本体の第２角部及び第３角部には、相互に重ね合わされた第２角部及び第３角部を相互に着脱自在に結合するための結合手段が設けられているので、第２角部及び第３角部が相互に重ね合わされた状態を保持することができ、金封を収納した袱紗本体の形状を美しく保持することができる。
【００１２】
さらに、本考案の請求項３に記載の袱紗によれば、結合手段は、袱紗本体の第２角部の外面に設けられた第１の面ファスナと、袱紗本体の第３角部の内面に設けられた第２の面ファスナと、から構成されているので、相互に重ね合わされた第２角部及び第３角部を相互に容易に結合することができ、金封を袱紗本体に容易に収納することができる。また、相互に重ね合わされた第２角部及び第３角部を相互に容易に離脱することができ、金封を袱紗本体から容易に取り出すことができる。
【考案を実施するための最良の形態】
【００１３】
以下、添付図面を参照して、本考案に従う袱紗の一実施形態について説明する。図１は、本考案の一実施形態による袱紗を示す斜視図であり、図２は、金封を図１の袱紗本体の収納部に収納した状態を示す図であり、図３は、図２の状態より、第２角部を内側に折り畳んで第１角部の上に重ね合わせた状態を示す図であり、図４は、図３の状態より、第３角部を内側に折り畳んで第２角部の上に重ね合わせた状態を示す図である。
【００１４】
図１において、図示の袱紗２は、矩形状の袱紗本体４を備えており、この袱紗本体４は、例えば布や絹等の織布から形成されている。この袱紗本体４の４つの角部に対応して、第１角部６、第２角部８、第４角部１２及び第３角部１０がこの順に隣接して設けられている。
【００１５】
袱紗本体４の第１角部６は内側に折り畳まれ、この折り畳まれた第１角部６は、袱紗本体４の内面における中央部に重ね合わされている。また、この折り畳まれた第１角部６の両側部には、袱紗本体４の中央部と縫い合わされた一対の縫合部１４ａ，１４ｂが設けられており、この一対の縫合部１４ａ，１４ｂの離間距離は、金封１６の上下方向の長さよりも幾分大きく構成されている。袱紗本体４、第１角部６及び一対の縫合部１４ａ，１４ｂによって収納部１８が規定され、この収納部１８には金封１６が挿脱自在に収納される。
【００１６】
また、袱紗本体４の第２角部８及び第３角部１０には、後述するようにして相互に重ね合わされた第２角部８及び第３角部１０を相互に着脱自在に結合するための結合手段２０が設けられている。この結合手段２０は、袱紗本体４の第２角部８の外面に設けられた第１の面ファスナ２２と、袱紗本体４の第３角部１０の内面に設けられた第２の面ファスナ２４と、から構成され、これら第１の面ファスナ２２と第２の面ファスナ２４とは相互に着脱自在に係止される。
【００１７】
図２〜図４をも参照して、上述のように構成された袱紗２に慶事用の金封１６を収納する方法について説明すると、次の通りである。まず、袱紗本体４の内面（第１角部６が折り畳まれた側の面）に向かって第１角部６が左側に配設されるようにして、袱紗本体４を平面状に拡げた状態に保持し、金封１６を袱紗本体４の収納部１８に収納する（図２参照）。このように金封１６を収納部１８に収納すると、一対の縫合部１４ａ，１４ｂがそれぞれ金封１６の上下方向（図２〜図４において上下方向）両側に配設され、これにより金封１６が収納部１８における所定位置に位置決め保持され、袱紗本体４に対する金封１６の上下方向への相対的移動が拘束される。
【００１８】
この状態において、第１角部６に隣接される第２角部８を金封１６の上端と略平行に延びる折曲げライン２６に沿って内側（図２〜図４において手前側）に折り畳んで第１角部６の上に重ね合わせ（図３参照）、次いで、第２角部８と対向される第３角部１０を金封１６の下端と略平行に延びる折曲げライン２８に沿って内側に折り畳んで第２角部８の上に重ね合わせ、第１の面ファスナ２２及び第２の面ファスナ２４を相互に係止させる（図４参照）。その後に、第１角部６と対向される第４角部１２を金封１６の右側端と略平行に延びる折曲げライン３０に沿って内側に折り畳んで第３角部１０の上に重ね合わせ、このようにして金封１６が袱紗本体４の内部に包み込まれて収納される。
【００１９】
本実施形態の袱紗２では、上述のように金封１６が収納部１８における所定位置に位置決め保持されるので、第２角部８及び第３角部１０をそれぞれ内側に折り畳んだ際に、袱紗本体４に対する金封１６の相対的位置がずれるのを防止することができ、それ故に、金封１６を袱紗本体４に見栄え良く容易に収納することができる。また、第２角部８及び第３角部１０が結合手段２０によって相互に結合されるので、これら第２角部８及び第３角部１０が相互に重ね合わされた状態を保持することができ、金封１６を収納した袱紗本体４の形状を美しく保持することができる。
【００２０】
なお、金封１６を袱紗本体４から取り出す際には、まず、第４角部１２を外側に開き、第１の面ファスナ２２と第２の面ファスナ２４とを相互に離脱して、第３角部１０及び第２角部８をこの順にそれぞれ外側に開くことにより、金封１６を収納部１８から外部に取り出すことができる。
【００２１】
本実施形態では、慶事用の金封１６を袱紗本体４に収納する場合について説明したが、弔事用の金封（図示せず）を袱紗本体４に収納する場合には、次のようにすればよい。まず、袱紗本体４の内面に向かって第１角部６が右側に配設されるようにして、袱紗本体４を平面状に拡げた状態に保持し、金封を袱紗本体４の収納部１８に収納する。次に、第２角部８を金封の下端と略平行に延びる折曲げライン２６に沿って内側に折り畳んで第１角部６の上に重ね合わせ、次いで、第３角部１０を金封の上端と略平行に延びる折曲げライン２８に沿って内側に折り畳んで第２角部８の上に重ね合わせ、第１の面ファスナ２２及び第２の面ファスナ２４を相互に係止させる。その後に、第４角部１２を金封の左側端と略平行に延びる折曲げライン３０に沿って内側に折り畳んで第３角部１０に重ね合わせ、このようにして弔事用の金封を袱紗本体４に収納することができる。かかる場合においても、上述したのと同様の作用効果が達成される。
【００２２】
以上、本考案に従う袱紗の一実施形態について説明したが、本考案はかかる実施形態に限定されるものではなく、本考案の範囲を逸脱することなく種々の変形乃至修正が可能である。
【００２３】
例えば、上記実施形態では、結合手段２０を第１の面ファスナ２２及び第２の面ファスナ２４から構成したが、これに限られず、例えばスナップボタンから構成してもよい。かかる場合には、結合手段２０は、袱紗本体４の第２角部８の外面に設けられた雄型スナップ（又は雌型スナップ）と、第３角部１０の内面に設けられた雌型スナップ（又は雄型スナップ）と、から構成され、雄型スナップと雌型スナップとが相互に着脱自在に嵌合される。
【００２４】
また例えば、収納部１８に収納した金封１６の上端、下端及び右側端（又は左側端）とそれぞれ略平行に延びる折り目を袱紗本体４に形成してもよく、このように折り目を形成することにより、第２〜第４角部８，１０，１２をそれぞれ対応する折り目に沿って内側に容易に折り畳むことができる。
【図面の簡単な説明】
【００２５】
【図１】本考案の一実施形態による袱紗を示す斜視図である。
【図２】金封を図１の袱紗本体の収納部に収納した状態を示す図である。
【図３】図２の状態より、第２角部を内側に折り畳んで第１角部の上に重ね合わせた状態を示す図である。
【図４】図３の状態より、第３角部を内側に折り畳んで第２角部の上に重ね合わせた状態を示す図である。
【符号の説明】
【００２６】
２  袱紗
４  袱紗本体
６  第１角部
８  第２角部
１０  第３角部
１２  第４角部
１４ａ，１４ｂ  縫合部
１６  金封
１８  収納部
２０  結合手段
２２  第１の面ファスナ
２４  第２の面ファスナ
【図１】
0003131089.tif 000003
【図２】
0003131089.tif 000004
【図３】
0003131089.tif 000005
【図４】
0003131089.tif 000006